(57)【要約】【課題】直接手で回転させて容易に土中に埋設でき、埋設状態においては安定的な引き抜き抵抗力を発揮する螺旋杭を提供する。【解決手段】１本の金属線材を屈曲して形成され、螺旋状の杭本体２を具え、杭本体２の上端に直線状垂直部５が起立状態に立設されている。直線状垂直部５の上端に、紐状物等の他物を装着するためのフック部７の基端が連設されている。フック部７は、その下端の開放部１７を通過した横杆１６を収容させる。フック部７の先側の部分は立ち下がり片１０とされ、その下端には、下端屈曲部１２が折り返しにより連設されている。開放部１７の幅寸法は横杆１６の外径よりも小さく、横杆１６をフック部７内に収容させる際に開放部１７が弾性的に拡開する。【選択図】図２
2018021312.tif 000002
【特許請求の範囲】
【請求項１】
１本の金属線材を屈曲して全体が一連に形成されており、
螺旋状に屈曲して形成された、軸線が垂直状態の杭本体を具え、該杭本体の上端に直線状垂直部が起立状態に立設されると共に、該直線状垂直部の上端に、他物を装着するためのフック部の基端が連設されており、該フック部の先側部分は、下方に向けて突出する立ち下がり片とされ、該立ち下がり片の下端には、前記フック部の内方側に向けて突出する如く下端屈曲部が折り返しによって連設されていることを特徴とする螺旋杭。
【請求項２】
１本の金属線材を屈曲して全体が一連に形成されており、
螺旋状に屈曲して形成された、軸線が垂直状態の杭本体を具え、該杭本体の上端に直線状垂直部が起立状態に立設されると共に、該直線状垂直部の上端に、他物を装着するためのフック部の基端が連設されており、該フック部は、その下端に設けられた開放部を通過した横断面円形状の横杆を収容させることができ、又、該フック部の先側部分は、下方に向けて突出する立ち下がり片とされ、該立ち下がり片の下端には、前記フック部の内方側に向けて突出する如く下端屈曲部が折り返しによって連設されており、前記開放部の幅寸法は前記横杆の外径よりも小さく形成され、該横杆を前記フック部内に収容させる際に該開放部が弾性的に拡開可能となされていることを特徴とする螺旋杭。
【請求項３】
前記直線状垂直部の少なくとも下端部分は土中への埋設部とされていることを特徴とする請求項１又は２記載の螺旋杭。
【請求項４】
１本の金属線材を屈曲して全体が一連に形成されており、
螺旋状に屈曲して形成された、軸線が垂直状態の杭本体を具え、該杭本体の上端に直線状垂直部が起立状態に立設されると共に、該直線状垂直部の長さは、少なくとも、該杭本体の螺線の１ピッチ分に設定され、該直線状垂直部の少なくとも下端部分は土中への埋設部とされており、
該直線状垂直部の上端に、他物を装着するための倒Ｕ字状のフック部の基端が連設されており、該フック部は、その下端に設けられた開放部を通過した横断面円形状の横杆を収容させることができ、前記フック部は、前記直線状垂直部の上端で上方に向けて連設された立ち上がり片と、その上端で連設された上片と、該上片の先端で下方に向けて突設された立ち下がり片とを具え、該立ち下がり片は前記立ち上がり片と略平行しており、該立ち下がり片の下端には、倒Ｕ字状の前記フック部の内方側に向けて突出する如く下端屈曲部が折り返しによって連設されており、
該下端屈曲部は、前記立ち下がり片の下端において前記倒Ｕ字状のフック部の内方側に向けて屈曲形成された円弧部の上端で、前記立ち下がり片の内側部に向けて斜め上方に屈曲され且つ該屈曲部の先端が該立ち下がり片の該内側部に当接乃至接近状態とされており、前記下端屈曲部と前記立ち上がり片との間をなす前記開放部の幅寸法は前記横杆の外径よりも小さく形成されており、該横杆を前記フック部内に収容させる際に該開放部が弾性的に拡開可能となされていることを特徴とする螺旋杭。
【請求項５】
１本の金属線材を屈曲して全体が一連に形成されており、
螺旋状に屈曲して形成された、軸線が垂直状態の杭本体を具え、該杭本体の上端に直線状垂直部が起立状態に立設されると共に、該直線状垂直部の長さは、少なくとも、該杭本体の螺線の１ピッチ分に設定され、該直線状垂直部の少なくとも下端部分は土中への埋設部とされており、該直線状垂直部の上端に、他物を装着するための倒Ｕ字状のフック部の基端が連設されており、該フック部は、その下端に設けられた開放部を通過した横断面円形状の横杆を収容させることができ、
前記フック部は、前記直線状垂直部の上端で上方に向けて連設された立ち上がり片と、その上端で連設されて前記横杆を収容させるための上に凸の半円弧状湾曲片としての上片と、該上片の先端で下方に向けて突設された立ち下がり片とを具え、該立ち下がり片は前記立ち上がり片と略平行しており、又、前記半円弧状湾曲片の中心は、前記杭本体の軸線上に略位置しており、該立ち下がり片の下端には、倒Ｕ字状の前記フック部の内方側に向けて突出する如く下端屈曲部が折り返しによって連設されており、
該下端屈曲部は、前記立ち下がり片の下端において前記倒Ｕ字状のフック部の内方側に向けて屈曲形成された円弧部の上端で、前記立ち下がり片の内側部に向けて斜め上方に屈曲され且つ該屈曲部の先端が該立ち下がり片の該内側部に当接乃至接近状態とされており、前記下端屈曲部と前記立ち上がり片との間をなす前記開放部の幅寸法は前記横杆の外径よりも小さく形成されており、該横杆を前記フック部内に収容させる際に該開放部が弾性的に拡開可能となされていることを特徴とする螺旋杭。
【請求項６】
前記立ち上がり片は、その下端からその上端に向かうにつれて前記杭本体の軸線からより離れる方向に傾斜状態に屈曲していることを特徴とする請求項４又は５記載の螺旋杭。
【請求項７】
前記立ち上がり片は前記直線状垂直部の延長方向に連設されていることを特徴とする請求項４又は５記載の螺旋杭。
【請求項８】
前記直線状垂直部は、前記杭本体の前記軸線上で立設されていることを特徴とする請求項１〜７の何れかに記載の螺旋杭。
【請求項９】
前記直線状垂直部は、前記杭本体の前記軸線に対して偏位して立設されていることを特徴とする請求項１〜７の何れかに記載の螺旋杭。
【請求項１０】
前記杭本体の下端は、平面視で、前記フック部の前記立ち下がり片の下端が存する側に位置することを特徴とする請求項１〜９の何れかに記載の螺旋杭。
【発明の詳細な説明】
【技術分野】
【０００１】
本発明は、直接手で回転させて土中に埋設することが容易であり、該埋設状態で所要の引き抜き抵抗力を発揮し得る螺旋杭に関するものである。
【背景技術】
【０００２】
例えばビニールハウスやテント等を構成するに際してビニールシートやテント幕等を押えて安定化させるために用いられる螺旋杭として、例えば特許文献１、２が開示するものが提供されている。これらの螺旋杭は、金属線材を螺旋状に屈曲して形成した杭本体を具えており、該杭本体が土中に埋設され且つその上端に紐状物の端部が結着されることによって、所要の引き抜き抵抗力を発揮してビニールシートやテント幕等を押えてこれらを強風の影響から保護せんとするものであった。
【０００３】
特許文献１に係る螺旋杭ａは、例えば図２０に示すように、金属線材を螺旋状に屈曲してなる杭本体ｂの上端に、上下に偏平な紐装着部ｃを該杭本体ｂに連続して設けていた。そして、該螺旋杭ａの埋設や引き抜きを行うに際しては、図２０（Ａ）に示すような保持部材ｄを用いて行うこととされていた。該保持部材ｄは図２０（Ａ）に示すように、前記紐装着部ｃを挾持できる間隔を具えた下端開口のコ字状保持部ｅを具えており、該コ字状保持部ｅの折り返し頂部ｆに、電動ドライバｇのチャック部ｈ（図２０（Ｂ））に装着される装着軸部ｊが突設されていた。図２０（Ｂ）は、該保持部材ｄを前記紐装着部ｃに装着した状態で前記装着軸部ｊを前記チャック部ｈに装着し、この状態で該電動ドライバｇを駆動して前記螺旋杭ａを回転させながらこれを土中に埋設している状態を示している。
【０００４】
又特許文献２が開示する螺旋杭ａは、螺旋状部ｍの上端に円環状リング部ｎや円筒状筒部ｐが一体に設けられており、該螺旋杭ａを土中に埋設するに際しては、図２１に示すように、該円環状リング部ｎや該円筒状筒部ｐに回転操作バーｑを密接した挿通状態とし、該回転操作バーｑを手で回すことによって前記螺旋杭ａを土中に埋設する構成のものであった。
【０００５】
このように、特許文献１、２に係る螺旋杭ａを回転させて土中に埋設するに際しては、前記電動ドライバｇ等の回転工具を必要としたり、前記リング部ｎや前記筒状部ｐに挿通させ得る回転操作バーｑを用意する必要があり、又、夫々の螺旋杭ａに対してこれらを着脱操作する必要があり、手間を要して施工性が悪い問題があった。
【０００６】
なお特許文献２の段落００２０において、「反力杭１を手で回して地面５に打ち込んでいくようにしてもよい」と記載されてはいるが、螺旋杭ａをこのように手で回して土中に埋設するためには、前記円環状リング部ｎや前記円筒状筒部ｐを手で把持して螺旋杭を回転させることになる。
【０００７】
しかしながら、かかる円環状リング部ｎは指先に馴染みにくく、従って、該螺旋杭ａを安定的に手で回しにくい問題があった。又前記筒状部ｐを手で回す場合は、該筒状部の長さが短いために回しにくい問題があった。そのため、特許文献２に係る螺旋杭ａに関しては、該円環状リング部ｎや該円筒状筒部ｐに、長さの長い回転操作バーｑを挿通してこれを回転操作せざるを得ないと考えられ、該螺旋杭ａを直接手で回して土中に埋設することは難しいと思われる。
【先行技術文献】
【特許文献】
【０００８】
【特許文献１】実用新案登録第３１９１５９０号公報
【特許文献２】特開２００４−３５３１８５号公報
【発明の概要】
【発明が解決しようとする課題】
【０００９】
本発明は、前記従来の問題点に鑑みて開発されたものであり、手で直接回転させて容易に土中に埋設できる螺旋杭の提供を課題とするものであり、埋設状態においては安定的な引き抜き抵抗力を発揮し得る螺旋杭の提供を課題とするものである。又、一直線上に複数本を並べて土中に埋設することが容易な螺旋杭の提供を課題とするものである。
【課題を解決するための手段】
【００１０】
前記課題を解決するため本発明は以下の手段を採用する。
即ち本発明に係る螺旋杭の第１の態様は、１本の金属線材を屈曲して全体が一連に形成されており、螺旋状に屈曲して形成された、軸線が垂直状態の杭本体を具え、該杭本体の上端に直線状垂直部が起立状態に立設されると共に、該直線状垂直部の上端に、他物を装着するためのフック部の基端が連設されている。そして、該フック部の先側部分は、下方に向けて突出する立ち下がり片とされ、該立ち下がり片の下端には、前記フック部の内方側に向けて突出する如く下端屈曲部が  折り返しによって連設されていることを特徴とするものである。
【００１１】
本発明に係る螺旋杭の第２の態様は、１本の金属線材を屈曲して全体が一連に形成されており、螺旋状に屈曲して形成された、軸線が垂直状態の杭本体を具え、該杭本体の上端に直線状垂直部が起立状態に立設されると共に、該直線状垂直部の上端に、他物を装着するためのフック部の基端が連設されている。該フック部は、その下端に設けられた開放部を通過した横断面円形状の横杆を収容させることができ、又、該フック部の先側部分は下方に向けて突出する立ち下がり片とされ、該立ち下がり片の下端には、前記フック部の内方側に向けて突出する如く下端屈曲部が折り返しによって連設されており、前記開放部の幅寸法は前記横杆の外径よりも小さく形成され、該横杆を前記フック部内に収容させる際に該開放部が弾性的に拡開可能となされていることを特徴とするものである。
【００１２】
本発明に係る螺旋杭の第３の態様は、前記直線状垂直部の少なくとも下端部分は土中への埋設部とされていることを特徴とするものである。
【００１３】
本発明に係る螺旋杭の第４の態様は、１本の金属線材を屈曲して全体が一連に形成されており、螺旋状に屈曲して形成された、軸線が垂直状態の杭本体を具え、該杭本体の上端に直線状垂直部が起立状態に立設されると共に、該直線状垂直部の長さは、少なくとも、該杭本体の螺線の１ピッチ分に設定され、該直線状垂直部の少なくとも下端部分は土中への埋設部とされており、該直線状垂直部の上端に、他物を装着するための倒Ｕ字状のフック部の基端が連設されており、該フック部は、その下端に設けられた開放部を通過した横断面円形状の横杆を収容させることがでる。そして、前記フック部は、前記直線状垂直部の上端で上方に向けて連設された立ち上がり片と、その上端で連設された上片と、該上片の先端で下方に向けて突設された立ち下がり片とを具え、該立ち下がり片は前記立ち上がり片と略平行しており、該立ち下がり片の下端には、倒Ｕ字状の前記フック部の内方側に向けて突出する如く下端屈曲部が折り返しによって連設されており、該下端屈曲部は、前記立ち下がり片の下端において前記倒Ｕ字状のフック部の内方側に向けて屈曲形成された円弧部の上端で、前記立ち下がり片の内側部に向けて斜め上方に屈曲され且つ該屈曲部の先端が該立ち下がり片の該内側部に当接乃至接近状態とされており、前記下端屈曲部と前記立ち上がり片との間をなす前記開放部の幅寸法は前記横杆の外径よりも小さく形成されており、該横杆を前記フック部内に収容させる際に該開放部が弾性的に拡開可能となされていることを特徴とするものである。
【００１４】
本発明に係る螺旋杭の第５の態様は、１本の金属線材を屈曲して全体が一連に形成されており、螺旋状に屈曲して形成された、軸線が垂直状態の杭本体を具え、該杭本体の上端に直線状垂直部が起立状態に立設されると共に、該直線状垂直部の長さは、少なくとも、該杭本体の螺線の１ピッチ分に設定され、該直線状垂直部の少なくとも下端部分は土中への埋設部とされており、該直線状垂直部の上端に、他物を装着するための倒Ｕ字状のフック部の基端が連設されており、該フック部は、その下端に設けられた開放部を通過した横断面円形状の横杆を収容させることができる。そして、前記フック部は、前記直線状垂直部の上端で上方に向けて連設された立ち上がり片と、その上端で連設されて前記横杆を収容させるための上に凸の半円弧状湾曲片としての上片と、該上片の先端で下方に向けて突設された立ち下がり片とを具え、該立ち下がり片は前記立ち上がり片と略平行しており、又、前記半円弧状湾曲片の中心は、前記杭本体の軸線上に略位置しており、該立ち下がり片の下端には、倒Ｕ字状の前記フック部の内方側に向けて突出する如く下端屈曲部が折り返しによって連設されている。該下端屈曲部は、前記立ち下がり片の下端において前記倒Ｕ字状のフック部の内方側に向けて屈曲形成された円弧部の上端で、前記立ち下がり片の内側部に向けて斜め上方に屈曲され且つ該屈曲部の先端が該立ち下がり片の該内側部に当接乃至接近状態とされており、前記下端屈曲部と前記立ち上がり片との間をなす前記開放部の幅寸法は前記横杆の外径よりも小さく形成されており、該横杆を前記フック部内に収容させる際に該開放部が弾性的に拡開可能となされていることを特徴とするものである。
【００１５】
本発明に係る螺旋杭の第６の態様は、前記第４又は第５の態様において、前記立ち上がり片が、その下端からその上端に向かうにつれて前記杭本体の軸線からより離れる方向に傾斜状態に屈曲されていることを特徴とするものである。
【００１６】
本発明に係る螺旋杭の第７の態様は、前記第４又は第５の態様において、前記立ち上がり片が前記直線状垂直部の延長方向に連設されていることを特徴とするものである。
【００１７】
本発明に係る螺旋杭の第８の態様は、前記第１〜第７の何れかの態様において、前記直線状垂直部が、前記杭本体の前記軸線上で立設されていることを特徴とするものである。
【００１８】
本発明に係る螺旋杭の第９の態様は、前記第１〜第７の何れかの態様において、前記直線状垂直部が、前記杭本体の前記軸線に対して偏位して立設されていることを特徴とするものである。
【００１９】
本発明に係る螺旋杭の第１０の態様は、前記第１〜第９の何れかの態様において、前記杭本体の下端が、平面視で、前記フック部の前記立ち下がり片の下端が存する側に位置することを特徴とするものである。
【発明の効果】
【００２０】
１．発明に係る螺旋杭は、１本の金属線材を屈曲して全体が一連に形成されており、螺旋状に屈曲して形成された杭本体の上端に直線状垂直部が起立状態に立設されている。又、該直線状垂直部の上端に、他物を装着するためのフック部の基端が連設されており、該フック部の先側部分は立ち下がり片とされ、該立ち下がり片の下端には、前記フック部の内方側に向けて突出する如く下端屈曲部が折り返しによって連設されている。従って本発明によるときは以下の如き優れた効果を奏する。
【００２１】
(1) 前記杭本体を回転させる際に前記フック部を手で把持したとき、例えば図９に示すように、面積の大きい前記下端屈曲部を、前記親指の指腹と前記人差し指の内面部との間で挾持して回転操作を行うことができ、又、適宜持ち替えて回転操作を続ける際も、面積が大きい前記下端屈曲部を人差し指の指腹や親指の指腹に当接させて行うことができるため、杭本体を直接手で容易に回転させて土中に埋設することができる。そして該杭本体は、これが土中に埋設された状態で所要の引く抜き抵抗力を発揮できる。
【００２２】
(2) 前記杭本体の上端に直線状垂直部が起立状態に立設されているため、該直線状垂直部の長さの範囲で該杭本体の回転埋設の程度を調整できる。これによって、前記フック部の高さ等を調整できる。
【００２３】
(3) 該直線状垂直部の少なくとも下端部分を土中に埋設状態とすることにより、該杭本体の回転埋設によって形成された螺旋溝の上端部分を土で埋まった状態となし得る。従って、この埋まった部分がその後の降雨等によって締まった状態になると、該杭本体の上端の上側に存する土が、該螺旋杭の逆回転（該螺旋杭が抜ける方向の回転）を抑制するためのストッパ部として機能することとなり、それだけ螺旋杭の引き抜き抵抗力を向上させ得ることとなる。
【００２４】
(4) 前記直線状垂直部は、金属製であり１本の直線状を呈するため撓み性を有する。従って、例えば雨避けやビニールハウス等の構築物においてビニールシート等を押えるための紐状物の端部分等としての他物を前記フック部に結着等により装着した場合において、強風時において該紐状物等の他物が振動したとしても、該直線状垂直部がこの振動を吸収し易く、該振動の影響が該杭本体に及び難くなし得る。これによって、螺旋杭の引き抜き抵抗力が不安定化するのを防止できることとなる。
【００２５】
２．特に前記フック部を、その下端に設けられた開放部を通して横杆を収容させることができるように構成すると共に、該開放部の幅寸法を該横杆の径よりも小さく形成し、該横杆を前記フック部内に収容させる際に該開放部が弾性的に拡開可能となす場合は、該横杆をフック部に収容した後は、自由状態にある該横杆を、前記下端屈曲部で下方から支持できる。従って、該フック部に収容した該横杆が不用意にフック部から脱落してしまうのを防止できる。又、紐状物の端部分をフック部に結着した場合においてその結び目が緩んで下がったときも、前記下端屈曲部がこの結び目を下方から受けるため、紐状物がフック部から外れてしまうのを防止できる。
【００２６】
３．前記フック部を、前記直線状垂直部の上端で上方に向けて連設された立ち上がり片と、その上端で連設された上片と、該上片の先端で下方に向けて突設された立ち下がり片とを具える如く構成し、該立ち上がり片と該立ち下がり片を略平行状態とし、該立ち上がり片を、その下端からその上端に向けて前記杭本体の軸線からより離れる方向に傾斜状態に屈曲させる場合は、該フック部を、該立ち上がり片の傾斜方向に屈曲された状態となし得る。そのため該立ち上がり片を、前記紐状物の傾斜方向を向いた傾斜状態とすることができる。これによって、該フック部が該紐状物の前記振動に伴って振動したとしても、土中に埋設されている杭本体に無理な変形が生ずるのを極力防止でき、前記螺旋杭の引き抜き抵抗力を不安定化させ難い。
【００２７】
又、フック部がこのように傾斜状態となることにより、前記杭本体が、前記直線状垂直部の略全体が土中に埋まる状態に埋設されたとしても、該フック部の該開放部と地面との間に、例えば図１４に示すように比較的広いスペースを形成できることから、前記横杆を該開放部に当てがい易く、該横杆を該フック部内に収容させ易い。
【００２８】
４．特に前記杭本体の下端を、平面視で、前記フック部の前記立ち下がり片の下端が存する側に位置させる場合は、複数本の螺旋杭を一直線上に配置するのが容易となる。
【図面の簡単な説明】
【００２９】
【図１】本発明に係る螺旋杭を示す斜視図である。
【図２】その正面図である。
【図３】そのフック部に、下端の開放部を通して横杆を収容させる作業工程を説明する説明図と、収容された横杆が下端屈曲部で下方から支持されている状態を示す説明図である。
【図４】螺旋杭を示す平面図である。
【図５】螺旋杭を用いて雨避けを構成した状態を示す斜視図である。
【図６】その部分斜視図と、螺旋杭を直線上に並置する作業工程を説明する斜視図である。
【図７】螺旋杭を用いてビニールハウスを構成した状態を示す斜視図である。
【図８】螺旋杭を用いて簾の下端縁部の左右端部位を支持した状態を示す斜視図である。
【図９】螺旋杭の杭本体を土中に埋設するに先立って、フック部を手で把持した状態で螺旋杭の下端を地面の所要部位に載せた状態を示す正面図である。
【図１０】その後、杭本体の下端部分を地面に突き刺した状態を示す正面図と、その後に杭本体を若干回転させた状態を示す説明図である。
【図１１】該杭本体を更に回転させた状態を示す説明図である。
【図１２】下端屈曲部が設けられていないフック部を具える螺旋杭の問題点を説明する説明図である。
【図１３】直線状垂直部の下端部分を土中に埋設して形成されたストッパ部と、直線状垂直部の長さの範囲で杭本体を更に回転させた状態示す説明図である。
【図１４】直線状垂直部の全体を土中に埋設した状態を示す側面図と、この状態において横杆をフック部の下端の開放部に当てがった状態を示す説明図である。
【図１５】螺旋杭を構成するフック部の他の態様を例示する部分正面図である。
【図１６】螺旋杭の他の実施例を示す正面図である。
【図１７】螺旋杭のその他の実施例を示す正面図である。
【図１８】下端屈曲部の他の態様を示す正面図である。
【図１９】下端屈曲部のその他の態様を示す正面図である。
【図２０】下端屈曲部のその他の態様を示す正面図である。
【図２１】下端屈曲部のその他の態様を示す正面図である。
【図２２】杭本体の下端形状の他の態様を示す正面図である。
【図２３】従来の螺旋杭を示す斜視図と、その使用状態を示す正面図である。
【図２４】従来の螺旋杭をその使用状態で示す斜視図である。
【発明を実施するための形態】
【実施例１】
【００３０】
図１〜３において本発明に係る螺旋杭１は、１本の金属線材を屈曲して全体が一連に形成されており、螺旋状に屈曲して形成された、軸線Ｌ１が垂直状態の杭本体２を具えている。そして、該杭本体２の上端３に直線状垂直部５が起立状態に立設されると共に該直線状垂直部５の上端６に、倒Ｕ字状を呈するフック部７の基端９が連設されている。又、該フック部７の先側部分７ａは、下方に向けて突出する立ち下がり片１０とされ、該立ち下がり片１０の下端１１には、前記フック部７の内方側（前記フック部７の内部側）に向けて突出する如く下端屈曲部１２が折り返しによって連設されている。
【００３１】
前記直線状垂直部５は、本実施例においては図１〜２、図４に示すように、前記杭本体２の上端部分をなす半径方向湾曲片１３の先端１５（本実施例においては前記杭本体２の上端３）で起立状態に立設されており、前記杭本体２の前記軸線Ｌ１上で立設状態とされている。そして該直線状垂直部５の長さは、少なくとも、前記杭本体２の螺旋の１／２ピッチ分に設定されており、本実施例においては１ピッチ分に設定されている。前記直線状垂直部５の前記上端６には、図３に示すように、他物１８としての、横断面円形状の横杆（本実施例においては円形パイプ）１６を収容させ得る、下端開放の倒Ｕ字状を呈する前記フック部７の前記基端９が連設されており、該フック部７は、図３（Ｃ）に示すように、その下端に設けられた開放部１７を通過した該横杆１６を収容させることができる。
【００３２】
前記フック部７は、本実施例においては図１〜２に示すように、前記直線状垂直部５の前記上端６で上方に向けて連設された立ち上がり片１９と、その上端２０で連設されて前記横杆１６を収容させるための、上に凸の半円弧状湾曲片２２として上片２１と、その先端２３で下方に向けて連設された前記立ち下がり片１０とを具えている。該立ち下がり片１０は、本実施例においては図１〜２に示すように、前記立ち上がり片１９と略平行しており、又、前記半円弧状湾曲片２２の中心２５は、図２に示すように、前記杭本体２の前記螺旋の軸線Ｌ１上に略位置されている。
【００３３】
又、前記立ち下がり片１０の前記下端１１に連設されている前記下端屈曲部１２は、該立ち下がり片１０の該下端１１において前記フック部７の内方側に向けて屈曲形成された円弧部２６の上端２７で、前記立ち下がり片１０の内側部（前記フック部の内方側の側部）２９に向けて斜め上方に屈曲する傾斜部２８が設けられており、該傾斜部２８の先端３１が該内側部２９に当接乃至近接状態とされている。図１〜２においては近接状態とされている。
【００３４】
又、前記下端屈曲部１２と前記立ち上がり片１９との間をなす前記開放部１７の幅寸法Ｌ２は、図２（Ｂ）に示すように前記横杆１６の外径Ｌ３よりも小さく形成されており、該横杆１６を前記フック部７内に収容させる際に、図３（Ｂ）に示すように、該開放部１７が弾性的に拡開可能となされている。
【００３５】
前記立ち上がり片１９は、その下端３２からその上端３３に向かうにつれて前記杭本体２の前記軸線Ｌ１からより離れる方向に傾斜状態に屈曲されている。本実施例においては、前記立ち下がり片１０の下端１１が、該立ち下がり片１０が垂直状態を呈する場合に比して、より上に位置するように屈曲されている。従って図１に示すように、前記フック部７は屈曲状態にある。
【００３６】
又前記杭本体２の下端３５は、図１〜２、図４に示すように、平面視で、前記フック部７の先端３６（前記立ち下がり片１０の下端１１）が存する側に位置させて設けられている。
【００３７】
ここで、かかる構成を有する螺旋杭１の主要部の寸法を例示すれば、前記金属線材は、線径が３．２ｍｍ程度の焼入れ鋼線を以て形成されており、前記杭本体２は２５０ｍｍ程度に設定され、その螺旋のピッチは３０ｍｍ程度に設定され、前記半円弧状湾曲片２２の径は２６ｍｍ程度に設定されている。又、前記直線状垂直部５の長さは３０ｍｍ程度に設定され、前記立ち上がり片１９の、前記杭本体２の前記軸線Ｌ１に対する傾斜角度は２０度程度に設定されている。該立ち上がり片１９の傾斜する方向を以下、傾斜方向ともいう。そして前記下端屈曲部１２の前記円弧部２６の径は８ｍｍ程度に設定され、該傾斜部２８の長さは８ｍｍ程度に設定されている。又、該下端屈曲部１２の最大幅が１０ｍｍ程度に設定されており、上下方向長さは１４ｍｍ程度に設定されている。
【００３８】
前記横杆１６は、本実施例においては外径が２２ｍｍ程度の樹脂被覆の円形パイプを以て形成されており、前記下端屈曲部１２と前記立ち上がり片１９との間をなす前記開放部１７の幅寸法は、該横杆１６の外径（２２ｍｍ程度）よりも小さく形成され、１８ｍｍ程度に設定されている。
【００３９】
図５、図６（Ａ）、図７、図８は、かかる構成を有する螺旋杭１を家庭菜園の場で使用した使用状態を示している。図５〜６は、栽培植物を、倒Ｕ字状の支柱３７で支持されたビニールシート３８で被覆して雨避け３９を構成する際において、該ビニールシート３８を押える紐状物４０を支持するために前記螺旋杭１を使用した場合を示している。又図７は、ビニールハウス４１を構成するに際して、倒Ｕ字状の支柱４２で支持されたビニールシート４３を押えるために前記螺旋杭１を使用した場合を示している。又図８は、建物４５の窓部４６を覆う簾４７の下端縁部４９の左右端部位５０，５０を該簾４７を傾斜状態にして支持するために前記螺旋杭１を使用した場合を示している。
【００４０】
以下、これらの使用状態を具体的に説明する。
図５は、栽培植物をビニールシート３８で被覆して雨避け３９を構成するに際して、該雨避け３９の延長方向に沿わせて前記螺旋杭１の複数本（例えば３本）を、例えば６０ｃｍ程度の間隔で、その杭本体２を土中に埋設して並置した場合の一例を示している。該例示にあっては、各螺旋杭１の前記立ち上がり片１９が、図６（Ａ）に示すように、該雨避け３９側（以下、内方側ともいう）に向けて傾斜しており、且つ、各螺旋杭１の前記フック部７の高さが略同一とされている。
【００４１】
該螺旋杭１のかかる並置状態を形成するために本実施例においては、先ず図６（Ｂ）に示すように、前記雨避け３９の延長方向に沿わせて地面５１に直線５２を引く。その後、図９に示すように、前記螺旋杭１の前記下端屈曲部１２を右手の親指５３と人差し指５６との間で把持すると共に、該人差し指５６の指腹５９を前記傾斜する立ち上がり片１９に当てがう。該下端屈曲部１２の対向側面部６０，６０（図１〜２、図４）は平面状を呈して面積が大きいため、親指５３の指腹を一方の側面部６０に当接させると共に、人差し指５６の内側面を他方の側面部６０に当接させて、該下端屈曲部１２を親指５３と人差し指５６とで安定的に把持できる。又図９に示すように、左手の親指６１と人差し指６２との間で前記杭本体２の下側部分６３を把持し、この状態で、前記フック部７の側面部６４を作業者の胴部に対して略直角を呈する状態とし、前記杭本体２の前記下端３５を前記直線５２上に載せる。なお図６（Ｂ）においては、手による把持状態の図示を省略している。該杭本体２はその垂直状態で、図４に示すように、前記杭本体２の下端３５が、平面視で、該フック部７の、前記立ち下がり片１０の下端１１が存する側に位置しているため（即ち、該フック部７の先端３６の直下の近傍に該杭本体２の下端３５が存するため）、作業者は、前記フック部７の側面部６４を作業者の胴部に対して略直角を呈する状態とし、該杭本体２の下端３５を容易に目視できる。従って、図６（Ｂ）に示すように、該杭本体２の下端３５を前記直線５２上に載せ易い。なお図６（Ｂ）においては、手前に雨避け３９が存する。
【００４２】
地盤が比較的軟らかい場合は、この状態で、例えば図１０（Ａ）に示すように、前記杭本体２の下端側の１０ｍｍ程度の長さ部分６６ａ（前記杭本体２の下端部分６６）を地面５１に突き刺す。このように突き刺すのは、以後における杭本体２の回転を容易化するためである。図１０（Ｂ）、図１１（Ａ）、図１１（Ｂ）は、右手の回転操作によって、前記フック部７を適宜持ち替えながら前記杭本体２を時計回りに回転させ、該杭本体２を土中に沈めている状態を示している。このように持ち替えたときも、例えば図１１（Ａ）、図１１（Ｂ）に示すように、前記下端屈曲部１２の面積の大きい前記側面部６０が人差し指５６の指腹５９に安定的に当接する。
【００４３】
かかる螺旋杭１の回転操作は、無理なく安定状態で行うことができる。その理由は、前記フック部７の前記立ち下がり片１０の下端に該フック部７の内方側に向けて突出する如く前記下端屈曲部１２が折り返しによって連設されていることにより、前記親指５３と前記人差し指５６との間で把持される面積が該下端屈曲部１２によって増大されているためである。又本実施例おいては、図２に示すように、前記直線状垂直部５が前記杭本体２の前記軸線Ｌ１上で立設されており、該フック部７の前記半円弧状湾曲片２２の中心２５が、前記のように該軸線Ｌ１上に略位置しているためである。
【００４４】
図１２は、その比較例として螺旋杭１ａを示している。該螺旋杭１ａのフック部７ａは、前記と同様構成の杭本体２ａの上端に直線状垂直部５ａが起立状態に立設されると共に、該直線状垂直部５ａに前記立ち上がり片１９ａ（本実施例におけると同様に傾斜状態にある）が連設され、該立ち上がり片１９ａの上端で、前記横杆１６を収容させるための上に凸の半円弧状湾曲片２２ａが連設され、その先端で下方に向けて立ち下がり片１０ａが突設されて倒Ｕ字状を呈している。この比較例においては、該立ち下がり片１０ａの下端に、本実施例におけるような前記下端屈曲部１２は設けられていない。かかる構成を有する倒Ｕ字状のフック部７を親指５３と人差し指５６とで把持して前記杭本体２を回転させて土中に埋設せんとする場合、図１２に示すように、該立ち下がり片１０の下端に前記のような下端屈曲部１２が設けられていないため、親指と人差し指との間で挾持される部分の幅が線状を呈していて前記金属線材の線径分しかない。従って、該杭本体２を安定的に回転させにくい問題が生ずることとなる。
【００４５】
そして本実施例においては、前記下端屈曲部１２が、図２に示すように、前記フック部７の内方側に向けて屈曲形成された円弧部２６の上端２７で、前記傾斜部２８が、前記立ち下がり片１０の内側部２９に向けて斜め上方に屈曲され且つその先端３１が該内側部２９に当接乃至近接状態とされているため、該フック部７を手で把持して前記杭本体２を回転させる際に該立ち下がり片１０の下端で怪我をする恐れがない。
【００４６】
前記のように位置決めして複数本の螺旋杭１を順次土中に埋設すれば、これらの螺旋杭１を一直線上に配置できる。なお、複数本の螺旋杭１を一直線上に配置するためには、必ずしも、フック部７の前記側面部６４を作業者の胴部に対して略直角を呈するように設定する必要はない。該側面部６４を常に同じ向きにし且つ前記杭本体２の下端３５を前記直線５２（図６（Ｂ））上に載せて各螺旋杭１を回転し始めるのであれば、かかる一直線上の並置状態を得ることができる。
【００４７】
図１３は、前記直線状垂直部５の下端部分（本実施例においては１０ｍｍ程度の長さの部分）６６が土中に埋設された状態を示している。このように埋設する際、前記半径方向屈曲片１３が地面５１を周方向に削ることとなるので、これによって、前記杭本体２の回転埋設によって形成された螺旋溝６７の上端部分は土で埋まった状態となる。この埋まった部分は、その後の降雨等によって締まった状態になると、前記杭本体２の上端３の上側の土が、前記螺旋杭１の逆回転（前記螺旋杭１が抜ける方向の回転）を抑制するためのストッパ部７０として機能するため、それだけ螺旋杭１の引き抜き抵抗力が向上することとなる。
【００４８】
そして、該杭本体２が土中に完全に埋設された状態で、傾斜状態にある前記立ち上がり片１９の向きが前記内方側に向いていない場合、例えば側方側に向いた場合や外方側に向いた場合は、前記直線状垂直部５の長さの範囲で該杭本体２を更に適宜回転させて該杭本体２を土中により深く埋設することにより、傾斜状態にある該立ち上がり片１９の向きを所要に設定できる。
【００４９】
本実施例においては、前記のように螺線のピッチを３０ｍｍ程度に設定しているため、図１３（Ａ）に示すように、前記ストッパ部７０を形成するために前記直線状垂直部５の下端部分６６の１０ｍｍ程度の長さの部分を土中に埋設したとしても、図１３（Ａ）に示すように、前記直線状垂直部５には、まだ２０ｍｍ程度の余裕長さがある。従って、前記螺旋のピッチが３０ｍｍ程度であることから、該直線状垂直部５には、前記杭本体２を更に１８０度回転させられるだけの余裕がある。それ故、前記ストッパ部７０が形成された状態で前記立ち上がり片１９が例えば図１３（Ｂ）に示すように外方側に向いた場合、この余裕によって、傾斜状態にある前記立ち上がり片１９の向きを図１３（Ｃ）に示すように内方側に向いた状態に修正できる。又、前記直線状垂直部５の長さ範囲における該杭本体２の回転埋設の調整によって、各フック部７の高さを略等しく設定することもできる。このように前記直線状垂直部５は、前記杭本体２を回転させるための余裕を形成できるのであり、これによって前記開放部１７の向きや前記フック部７の高さ調整が可能となる。
【００５０】
そしてこの状態で、前記立ち上がり片１９が傾斜状態にあることから、前記直線状垂直部５が図１４（Ａ）に示すように完全に土中に埋設された状態にあっても、該立ち上がり片１９が垂直状態を呈する場合に比し、前記フック部７の前記開放部１７と地面５１との間に比較的広いスペース５４が形成される。これによって、図１４（Ｂ）に示すように、前記横杆１６を該開放部１７側に当てがい易く、該横杆１６を前記フック部７内に収容させ易い。
【００５１】
図３（Ａ）は、該スペースを通して前記横杆１６を前記下端屈曲部１２と前記立ち上がり片１９との間に当てがった状態を示している。この状態で、該横杆１６を該立ち上がり片１９の傾斜に沿って該フック部７内に押し込むと、図３（Ｂ）に示すように、前記開放部１７が弾性的に拡開し、その後図３（Ｃ）に示すように、該横杆１６が前記フック部７内に収容された状態となり、この状態で該開放部１７は弾性的に復帰する。従って、該フック部７内に収容された該横杆１６は、前記開放部１７の幅寸法が前記横杆１６の径よりも小さいために、自由状態にある該横杆１６は図３（Ｄ）に示すように、前記下端屈曲部１２と前記立ち上がり片１９との間で下方から支持されることとなる。従って、該横杆１６が前記フック部７から脱落することがない。このように前記下端屈曲部１２が、前記横杆１６が前記フック部７から脱落するのを防止できることから、例えば、図５に示すように雨避け３９を構成する場合、前記紐状物４０を該横杆１６に結着する作業中において該横杆１６が脱落してしまうのを防止できることとなる。
【００５２】
図５は、前記雨避け３９の両側において一直線上に所要間隔で配置された複数の螺旋杭１の各フック部７に、他物１８としての前記横杆１６が前記のように収容状態とされ、該横杆１６が前記半円弧状湾曲片２２に嵌まり合って支持された状態で、該横杆１６に、前記雨避け３９の前記ビニールシート３８を押える該紐状物４０の端部分７２が結着により装着された状態を示している。このように、該横杆１６に該紐状物４０の端部分７２を結着により装着したとき、該横杆１６は複数本の螺旋杭１で前記フック部７を介して支持されるため、複数本の螺旋杭１の引き抜き抵抗力によって、該横杆１６を安定的に支持できる。従って、前記紐状物４０による前記ビニールシート３８の押えを確実に行うことができる。
【００５３】
このように埋設された螺旋杭１は、不要時には前記杭本体２を直接手で逆回転して簡単に引き抜くことができるため、該螺旋杭１は再使用できる。
【００５４】
図７は、前記ビニールハウス４１を構成する場合において、ビニールシート４３を、他物１８としての紐状物４０を介して押えるために前記螺旋杭１が使用された場合を示している。図７においては、該紐状物４０が、該ビニールシート４３の上面に、該ビニールハウス４１の延長方向にジグザグ状を呈する如く掛けられている。そして、該ビニールハウス４１の両側部分７３，７３において、該ビニールハウス４１の延長方向に所要間隔を置いて前記杭本体２が土中に埋設されてなる前記螺旋杭１の各フック部７に、該紐状物４０の折り返し端部７５が引っ掛けられている。この場合は図７（Ｂ）に示すように、前記直線状垂直部５を土中に略完全に埋設状態としてもよい。このように略完全に埋設状態とすれば、埋設状態にある前記杭本体２の上端の上側の土の厚さがより厚くなるため、前記ストッパ部７０のストッパ効果をより有効に発揮させることがでる。このように埋設された螺旋杭１は、不要時には前記杭本体２を直接手で逆回転して簡単に引き抜くことができるため、該螺旋杭１は再使用できる。
【００５５】
図８は、建物４５の窓部４６を覆う簾４７の下端縁部４９の左右端部位５０，５０を該簾４７を傾斜状態にして支持するために前記螺旋杭１を用いた場合を示している。該簾４７は、その下端縁部４９の左右端部位５０，５０に、他物１８としての紐状物４０の上端部分７６が連結されると共に、その下端部分７７を、前記窓部４６から離して且つ前記下端縁部４９の左右側に位置させて前記杭本体２が土中に埋設されてなる前記螺旋杭１の前記フック部７に結着により装着した状態を示している。
【００５６】
これにより、前記左右の紐状物４０，４０が該螺旋杭１，１によって支持される。このように、簾４７の下端縁部４９の左右端部分５０，５０を該簾４７を傾斜状態にして紐状物４０，４０で支持する場合は、該簾４７が傾斜状態にあることから風の影響を受けやすく、その結果、杭本体２が埋設状態ある前記螺旋杭１に該紐状物４０の振動が加わることとなる。この場合も前記と同様にして、前記直線状垂直部５による振動吸収作用等によって螺旋杭１の引き抜き抵抗力が不安定化するのを防止できることとなる。このように埋設された螺旋杭１は、不要時には前記杭本体２を直接手で逆回転して簡単に引き抜くことができるため、該螺旋杭１は再使用できる。
【００５７】
これらの各使用態様において用いられている螺旋杭１は、何れも、前記杭本体２の上端に直線状垂直部５が設けられており、該直線状垂直部５は金属製の１本の直線状を呈して撓み性を有する。そのため該直線状垂直部５が、図１３に示すように地面５１から突出している状態にあるときも、或いは、これが図１４に示すように土中に埋設されている状態にあるときも、強風時において前記雨避け３９や前記ビニールハウス４１、前記簾４７が揺れて前記紐状物４０が振動したり、該紐状物４０が風でばたついて振動しても、該振動が前記直線状垂直部５で吸収されやすい。従って、該振動の影響が前記杭本体２に及びにくくなし得るため、螺旋杭１の引き抜き抵抗力を低下させにくい。
【００５８】
そして、前記した何れの使用態様においても、前記ビニールシート３８，４３を押える前記紐状物４０、或いは前記簾４７を支持する前記紐状物４０が、地面５１に対して傾斜状態を呈している。そこで、これらの場合においては図５、図７、図８に示すように、前記立ち上がり片１９を、該雨避け３９や該ビニールハウス４１、該簾４７側に向けて傾斜状態を呈する如く位置決めして前記杭本体２を土中に埋設することとしている。かかることから該立ち上がり片１９が、前記紐状物４０の傾斜方向に傾斜した状態を呈し或いは該傾斜方向に向いた傾斜状態を呈し得る。そのため、該紐状物４０が前記のように振動しても、該立ち上がり片１９の振動の振幅をより小さく抑制でき、従って、土中に埋設されている該杭本体２に無理な変形が生ずるのを極力防止でき、前記螺旋杭１の引き抜き抵抗力を不安定化させにくい。
【００５９】
なお前記横杆１６は、並置された前記螺旋杭１の全てのフック部７に横方向にスライドさせて挿通状態とすることも可能である。この場合は、前記直線状垂直部５の長さの範囲で前記杭本体２を所要に回転させて該フック部７の向きと高さを合わせることとなるが、この操作は、該横杆１６を前記開放部１７を通して該フック部７内に押し込む場合に比べて手間が掛り易い。
【００６０】
なお、例えば前記簾４７の下端縁部４９の左右端部分５０，５０を紐状物４０，４０を介して螺旋杭１で支持する場合のように、紐状物４０の下端部分７７を前記フック部７に結着により装着した場合は、該紐状物４０の振動によって前記フック部７に対する紐状物４０の結び目が緩んで下がったとしても、この結び目が幅広の前記下端屈曲部１２で受け止められるため、該結び目がフック部７から外れてしまう恐れがない。
【実施例２】
【００６１】
本発明は、前記実施例で示したものに限定されるものでは決してなく、「特許請求の範囲」の記載内で種々の設計変更が可能であることはいうまでもない。その一例を挙げれば次のようである。
【００６２】
(1) 前記螺旋杭１を構成する前記フック部７は、図１に示す倒Ｕ字状を呈するものの他、例えば図１５（Ａ）や図１５（Ｂ）に示すような円形リング状を呈するもの、図１５（Ｃ）に示すような菱形状のもの、図１５（Ｄ）に示すような逆三角形状のもの等、各種に構成できる。
【００６３】
これらにおいて共通する構成は、該フック部７の先側部分７ａが立ち下がり片１０とされ、該立ち下がり片１０の下端１１に、該フック部７の内方側に向けて突出する如く下端屈曲部１２が折り返しによって連設されている点である。これらのフック部７が、折り返しによる該下端屈曲部１２を有していることから、該フック部７を図９に示すと同様にして親指と人差し指との間で把持して前記杭本体２を手で回転させる場合、該親指と該人差し指との間に介在される部分の面積を該下端屈曲部１２によって増大させることができる。これによって該フック部７を安定状態で把持でき、前記杭本体２を土中に円滑に回転させて埋設できることとなる。
【００６４】
これらのフック部７においては、該フック部７の中心７９が前記杭本体２の軸線状Ｌ１に略存した状態とされている。又これらの螺旋杭１においては、前記フック部７は、その下端に設けられた開放部１７を通過した前記横杆１６を収容させることができるように構成されており、該開放部１７の幅寸法は該横杆１６の径よりも小さく設定され、該横杆１６を該フック部７に収容させる際に該開放部１７が弾性的に拡開可能となされている。なお本実施例において、かかる開放部１７は必須ではない。
【００６５】
(2) 図１６は、本発明に係る螺旋杭１の他の実施例を示すものであり、前記立ち上がり片１９が前記直線状垂直部５の延長方向に連設されており、該立ち上がり片１９は傾斜状態にはなく垂直状態を呈している。又図１７は、前記直線状垂直部５が前記杭本体２の軸線Ｌ１に対して偏位して立設されてなる螺旋杭１を示すものである。
【００６６】
(3) 前記下端屈曲部１２は、前記杭本体２を直接手で回転させて土中に埋設させる際において、指に対する当接面積を増大させ得るものであれば、例えば図１８〜２１に示す場合等、各種の折り返し形態で構成できる。
【００６７】
(4) 本発明に係る螺旋杭１は、他物７１としての紐状物４０を結着等により前記フック部７に装着する場合に使用されることの他、ネット状物の所要部位としての他物１８を前記フック部７に引っ掛けによって装着する場合や、他物１８としての紐状物４０の端部に設けた係止リングを前記フック部７に引っ掛けによって装着する場合等、該螺旋杭１の引き抜き抵抗力を利用して他物１８をフック部７に装着する各種用途に使用できる。例えば、テント幕を、他物１８としての紐状物４０等を介して前記フック部７に結着等により装着する場合や、他物１８としての犬のリードの端部を前記フック部７に引っ掛ける場合等において該螺旋杭１を用いることができる。
【００６８】
(5) 前記杭本体２の手による回転埋設をより容易化するために、該杭本体２の下端３５を例えば図１９に示すように尖った状態に構成してもよい。地盤が比較的硬い場合は、該下端３５をこのように尖った状態に構成するのがよい。
【００６９】
(6) 本発明に係る螺旋杭１を構成する前記金属線材の線径や前記杭本体２の螺旋のピッチ、螺旋杭１の全長、前記立ち上がり片１９の前記傾斜角度等は、該螺旋杭１の使用目的に応じて所要に設定できる。例えば、前記線径２〜３．５ｍｍに、前記杭本体２の全長は２００〜３００ｍｍに、前記ピッチは２５〜３５ｍｍに設定できる。
【００７０】
(7) 前記直線状垂直部５は、前記フック部７の高さや向きを調整したり、その全部又は一部分を土中に埋設して前記ストッパ部をより強固とするため等の目的で使用されるが、その長さは、例えば１／２ピッチ等、所要長さに設定できる。
【符号の説明】
【００７１】
１  螺旋杭
２  杭本体
５  直線状垂直部
７  フック部
１０  立ち下がり片
１２  下端屈曲部
１６  横杆
１７  開放部
１８  他物
１９  立ち上がり片
２１  上片
２２  半円弧状湾曲片
２６  円弧部
２８  傾斜部
４０  紐状物
【図１】
2018021312.tif 000003
【図２】
2018021312.tif 000004
【図３】
2018021312.tif 000005
【図４】
2018021312.tif 000006
【図５】
2018021312.tif 000007
【図６】
2018021312.tif 000008
【図７】
2018021312.tif 000009
【図８】
2018021312.tif 000010
【図９】
2018021312.tif 000011
【図１０】
2018021312.tif 000012
【図１１】
2018021312.tif 000013
【図１２】
2018021312.tif 000014
【図１３】
2018021312.tif 000015
【図１４】
2018021312.tif 000016
【図１５】
2018021312.tif 000017
【図１６】
2018021312.tif 000018
【図１７】
2018021312.tif 000019
【図１８】
2018021312.tif 000020
【図１９】
2018021312.tif 000021
【図２０】
2018021312.tif 000022
【図２１】
2018021312.tif 000023
【図２２】
2018021312.tif 000024
【図２３】
2018021312.tif 000025
【図２４】
2018021312.tif 000026